(57)【要約】  乗り物用シートスライド装置（１）が、固定レール（２）に摺動可能な可動レール（３）、可動レール（３）の長手方向両端部に設けられ固定レール（２）の底壁（６）上を転動可能な主ローラ（５）、可動レール（３）にピン（１０）を介して回転自在に軸支されたブラケット（７）、可動レール（３）に取り付けられてブラケット（７）の一端部（７ｄ）を押圧してピン（１０）を中心とした回転付勢力をブラケット（７）に常に付与する付勢部（１１）、ブラケット（７）の他端部（７ｅ）に配され回転付勢力を受けて固定レール（２）の頂壁（４）に常に圧接して転動可能な副ローラ（８）を備える。
2014016888.tif 000002
【特許請求の範囲】
【請求項１】
断面が略Ｕ字状に成形され、左右の開口縁を対向方向内方へ屈曲させて底壁と略平行な頂壁が形成された固定レールと、
前記固定レールの前記開口縁内に配され、前記固定レールに沿って移動可能な可動レールと、
前記可動レールの長手方向の両端部に設けられ、前記可動レールの移動により前記固定レールの前記底壁上を転動可能な主ローラと、
前記可動レールにピンを介して上下回転自在に軸支されたブラケットと、
前記可動レールに取り付けられ、前記ブラケットの一端部を押圧して前記ピンを中心とした回転付勢力を前記ブラケットに常に付与する付勢部と、
前記ピンを挟んで前記ブラケットの前記一端部とは反対側の他端部に配され、前記付勢部による前記回転付勢力を受けて前記固定レールの前記頂壁に常に圧接して転動可能な副ローラと、
を備えた乗り物用シートスライド装置。
【請求項２】
前記ブラケットの前記一端部に設けられたレバーをさらに備え、
前記付勢部は、前記レバーを押圧する板ばねである
請求項１記載の乗り物用シートスライド装置。
【発明の詳細な説明】
【技術分野】
【０００１】
本発明は、乗り物、例えば自動車に搭載されるシートスライド装置に関する。
【背景技術】
【０００２】
関連する乗り物用シートスライド装置として、逆Ｕ字状の断面に形成され且つ左右の開口縁を対向方向内方に屈曲させて底壁と平行な頂壁の形成されたロアレールと、長手方向の両端部に底壁上を転動する主ローラが設けられることによってロアレールに沿って移動するアッパレールと、主ローラの近傍に設けられた副ローラと、副ローラを上方に付勢して頂壁に当接させ、この時副ローラが受ける反力で主ローラを底壁に当接させるコイルばねとを備えたものが特許文献１に提案されている。
【先行技術文献】
【特許文献】
【０００３】
【特許文献１】特開２００７−０６９６９４号公報
【発明の概要】
【０００４】
このような関連技術にあっては、シートスライド装置の狭い空間内に各種部材が組み込まれていて、これらの組み付けにそれぞれ多くの作業行程を必要とし、面倒である。また、乗り物の走行に伴う振動によりコイルばねなどが共振して雑音を発生させるおそれがある。
【０００５】
本発明は、各種部材の組み付け作業行程の単純化が図れるとともに乗り物の走行振動による雑音の発生を抑制できる乗り物用シートスライド装置を提供することを目的とする。
【０００６】
本発明のアスペクトは、断面が略Ｕ字状に成形され、左右の開口縁を対向方向内方へ屈曲させて底壁と略平行な頂壁が形成された固定レールと、前記固定レールの前記開口縁内に配され、前記固定レールに沿って移動可能な可動レールと、前記可動レールの長手方向の両端部に設けられ、前記可動レールの移動により前記固定レールの前記底壁上を転動可能な主ローラと、前記可動レールにピンを介して上下回転自在に軸支されたブラケットと、前記可動レールに取り付けられ、前記ブラケットの一端部を押圧して前記ピンを中心とした回転付勢力を前記ブラケットに常に付与する付勢部と、前記ピンを挟んで前記ブラケットの前記一端部とは反対側の他端部に配され、前記付勢部による前記回転付勢力を受けて前記固定レールの前記頂壁に常に圧接して転動可能な副ローラとを備えた乗り物用シートスライド装置であることを要旨とする。
【０００７】
また、前記乗り物用シートスライド装置は、前記ブラケットの前記一端部に設けられたレバーをさらに備え、前記付勢部は、前記レバーを押圧する板ばねであってもよい。
【０００８】
上記構成によれば、各種部材の組み付け作業行程が単純化し、乗り物の走行振動による雑音の発生が抑制される。
【図面の簡単な説明】
【０００９】
【図１】図１は、本発明の一実施形態に係る乗り物用シートスライド装置の側面図である。
【図２】図２は、図１のＩＩ部拡大説明図である。
【図３】図３は、図２のＩＩＩ−ＩＩＩ線に沿った断面図である。
【図４】図４は、図２のＩＶ−ＩＶ線に沿った断面図である。
【発明を実施するための形態】
【００１０】
各種部材の組み付け作業行程の単純化が図れるとともに乗り物の走行振動による雑音の発生を抑制できる乗り物用シートスライド装置を提供する、という目的を、以下の構成により実現した。すなわち、断面が略Ｕ字状に成形され、左右の開口縁を対向方向内方へ屈曲させて底壁と略平行な頂壁が形成された固定レールと、前記固定レールの前記開口縁内に配され、前記固定レールに沿って移動可能な可動レールと、前記可動レールの長手方向の両端部に設けられ、前記可動レールの移動により前記固定レールの前記底壁上を転動可能な主ローラと、前記可動レールにピンを介して上下回転自在に軸支されたブラケットと、前記可動レールに取り付けられ、前記ブラケットの一端部を押圧して前記ピンを中心とした回転付勢力を前記ブラケットに常に付与する付勢部と、前記ピンを挟んで前記ブラケットの前記一端部とは反対側の他端部に配され、前記付勢部による前記回転付勢力を受けて前記固定レールの前記頂壁に常に圧接して転動可能な副ローラとを備える。。
【００１１】
以下、本発明の一実施形態に係る乗り物用シートスライド装置１を図１〜図４に基づいて説明する。乗り物用シートスライド装置１は、固定レール２と、可動レール３と、主ローラ５、５と、ブラケット７、７と、レバー７ｃと、副ローラ８と、付勢部とを備える。
【００１２】
固定レール２は、断面が略Ｕ字状に成形され且つ左右の開口縁２ａ、２ａが対向方向内方へ屈曲形成されており、底壁６、６及び底壁６、６に略平行な位置に頂壁４、４が形成されている。
【００１３】
可動レール３は、Ｔ字を逆さまにした断面を有するＴ字部３ａと、Ｔ字部３ａと連結されたＴ字部３ａの下側に形成された側部３ｂとにより押し出し成形されている。可動レール３のＴ字部３ａのフランジ部３ｃの中央で上側に延びる平板部３ｄに図示しない周知のシートクッションフレームが結合されている。可動レール３の側部３ｂ、フランジ部３ｃ、平板部３ｄの下側の部分は、固定レール２内に配置されている。平板部３ｄの下側の部分は、固定レール２の開口縁２ａ、２ａ内を固定レール２に沿って前後摺動自在に配されており、可動レール３が固定レール２に沿って前後摺動自在となっている。
主ローラ５、５は、可動レール３の長手方向の両端部に回転可能に支持されている。より具体的には、主ローラ５、５は、可動レール３に左右両側から組み込まれ、可動レール３の側部３ｂに形成された貫通孔３ｅ、３ｅに圧入したピン５ａを介して可動レール３に対して回転可能に軸支されている。主ローラ５、５は、固定レール２に形成された底壁６、６に接しており、可動レール３の移動により底壁６、６上を転動する。
【００１４】
ブラケット７、７は、開口が上を向いた断面Ｕ字状に形成されている。図４に示すように、ブラケット７、７の一方７ａ、７ａが他方７ｂ、７ｂよりも長く形成されている。他方７ｂ、７ｂが、左右断面の中央側に配され、一方７ａ、７ａが左右断面の端部側に配されている。可動レール３の側部３ｂに形成した貫通孔３ｆ、３ｆには、ピン１０が圧入されて支持されている。ブラケット７、７の一方７ａと他方７ｂとには、可動レール３に支持されたピン１０が貫通する貫通孔７ｇ、７ｇが形成されているこのような構成により、ブラケット７、７が、可動レール３に対して上下回転自在に軸支されている。
【００１５】
ブラケット７、７の一端部７ｄには、上側が弓なりのレバー７ｃが形成されている。レバー７ｃは、可動レール３に取り付けた板ばね１１（付勢部）により図２の白抜き矢印に示す下側に常に押圧されている。つまり、板ばね１１は、ピン１０を中心とした反時計方向の回転付勢力をブラケット７、７に常に与えている。付勢部は、板ばねに限定されず、他の種類のばねであってもよい。
【００１６】
副ローラ８は、ブラケット７、７の他端部７ｅに形成された貫通孔７ｆ、７ｆに軸支された軸部８ａ、８ａを介してブラケット７、７に上下回転自在に軸支され、且つ固定レール２の頂壁４、４に転動可能である。副ローラ８は、ブラケット７、７の一端部７ｄが板ばね１１により反時計方向に常に回転付勢されることで図２に黒字矢印に示すように、頂壁４に常に圧接している。
【００１７】
本発明の実施形態によれば、ブラケット７に副ローラ８があらかじめ組み付けられているので、固定レール２などの組み立てラインでの組み立て工数が少なくて済む。このため、各種部材の組み付け作業行程が単純化する。
【００１８】
本発明の実施形態によれば、副ローラ８を備えたブラケット７が、可動レール３に取り付けられた板ばね１１により反時計方向に常に回転付勢されている。したがって、ブラケット７に軸支された副ローラ８が固定レール２の頂壁４に常に圧接している。同時に、可動レール３に取り付けられた主ローラ５は、固定レール２の底壁６に接している。このため、副ローラ８と固定レール２の頂壁４との隙間が生ぜず、雑音が発生しにくい状態になっている。よって、乗り物用シートスライド装置１は、乗り物の走行振動によっても雑音が発生しない、或いは発生しにくい。
【００１９】
以上、本発明の実施形態について説明したが、本発明は上記実施形態には限定されず、種々の変形が可能である。
【図１】
2014016888.tif 000003
【図２】
2014016888.tif 000004
【図３】
2014016888.tif 000005
【図４】
2014016888.tif 000006
【国際調査報告】
2014016888.tif 000007
2014016888.tif 000008